(57)【要約】【課題】周波数変更や増設等に容易に対応することができる分岐回路を提供する。【解決手段】分岐部２は共通ポート１に入力された電波をバンドパスフィルタ３、４，５，６へ分波する。ローパスフィルタ１１〜１４は分岐部２とバンドパスフィルタ３〜６の結合部に挿入された、カットオフ周波数が可変可能なローパスフィルタである。本分岐回路は、ローパルフィルタ１１〜１４のカットオフ周波数可変時の位相変化を用いて、各バンドパスフィルタ３〜６と分岐部２の結合部毎に最適な位相調整を行う。【選択図】図１
2010263372.tif 000002
【特許請求の範囲】
【請求項１】
同軸ケーブルからの電波を周波数に応じて複数の経路に分岐する分岐部と、
分岐先の前記経路と分岐元の前記分岐部との間に挿入された、カットオフ周波数が可変可能なローパスフィルタと、
を具備することを特徴とする分岐回路。
【請求項２】
分岐先の前記各経路にそれぞれバンドパスフィルタが挿入されていることを特徴とする請求項１に記載の分岐回路。
【請求項３】
前記ローパスフィルタにカットオフ周波数の自動制御が可能な制御器を設け、パラメータによる制御可能に構成したことを特徴とする請求項１または請求項２に記載の分岐回路。
【発明の詳細な説明】
【技術分野】
【０００１】
本発明は、マイクロ波無線用のＤＵＰＬＥＸＥＲ（アンテナ分波器）等において用いられる分岐回路に関する。
【背景技術】
【０００２】
ＤＵＰＬＥＸＥＲにおいては、同軸ケーブルからの電波を電波の周波数に応じて２本以上に分けるために分岐回路が用いられる。この分岐回路において、良好な分岐特性を得るためには、各分岐部での位相調整が重要であり、分岐が増えるほど設計難度が高く、開発に長期間を要したり多額な費用を必要とすることが知られている。また、分岐はあらかじめ決められた周波数の組み合わせで最適化されて設計が行われており、開発時に準備した組み合わせ以外での対応は容易ではなかった。急な要望や現地でのフレキシブルな周波数変更、増設に対応する場合、その方法として、長さを変更したブロックをいくつも用意し、分岐部にカットアンド トライで挿入して長さを決定するということが行われる。この場合、各段は完全に独立して調整することが出来ないため、全体で最適になるように各段を何度も最適化を繰り返す必要がある。しかしながら、このような方法で位相調整を行うのは非効率であり、時間も手間もかかり、容易ではなかった。
【先行技術文献】
【特許文献】
【０００３】
【特許文献１】実開平０１−０３７１０３号公報
【特許文献２】特開２０００−３０７４５６号公報
【特許文献３】特開２００３−２８３２１２号公報
【発明の概要】
【発明が解決しようとする課題】
【０００４】
本発明は、このような事情に鑑みてなされたもので、その目的は、カットオフ周波数が可変可能なローパスフィルタを用いることにより、周波数変更や増設等に容易に対応することができる分岐回路を提供することにある。
【課題を解決するための手段】
【０００５】
上述した課題を解決するために、本発明は、同軸ケーブルからの電波を周波数に応じて複数の経路に分岐する分岐部と、分岐先の前記経路と分岐元の前記分岐部との間に挿入された、カットオフ周波数が可変可能なローパスフィルタとを具備することを特徴とする。
【発明の効果】
【０００６】
本発明によれば、位相調整を簡単に行うことができ、これにより、周波数変更や増設等に容易に対応することができる効果がある。
【図面の簡単な説明】
【０００７】
【図１】本発明の一実施形態のよる分岐回路の構成を示すブロック図である。
【図２】ローパルフィルタのカットオフ周波数を可変させたときの群遅延特性の変化を示すグラフである。
【図３】７．５ＧＨｚにけるローパスフィルタの特性を示すグラフであり、（ａ）はカットオフ周波数の変化に対する群遅延特性の変化を示し、（ｂ）はカットオフ周波数の変化に対する位相特性の変化を示している。
【図４】図１に示す実施形態の効果を示すグラフである。
【発明を実施するための形態】
【０００８】
以下、図面を参照し本発明の実施形態について説明する。
図１は本発明の一実施形態による分岐回路の構成を示すブロック図である。この図において、符号１は同軸ケーブルが接続される共通ポートである。２は分岐部であり、共通ポート１に入力された電波をバンドパスフィルタ３、４，５，６へ分波する。１１〜１４は分岐部２とバンドパスフィルタ３〜６の結合部に挿入された、カットオフ周波数が可変可能なローパスフィルタである。なお、従来のものにおいては、この位置に長さを調整するためのブロック等が接続された。
【０００９】
本実施形態は、上述した結合部にカットオフ周波数調整が可能なローパスフィルタ１１〜１４を用いたことに特徴があり、ローパルフィルタ１１〜１４のカットオフ周波数可変時の位相変化を用いて、各バンドパスフィルタ３〜６と分岐部２の結合部毎に最適な位相調整を行う。 
【００１０】
図２にローパルフィルタのカットオフ周波数を可変させたときの群遅延特性の変化を示す。また、図３（ａ）は、７．５ＧＨｚにおいて、カットオフ周波数の変化に対する群遅延特性の変化を示し、図３（ｂ）は、７．５ＧＨｚにおいて、カットオフ周波数の変化に対する位相特性の変化を示している。このように、ある周波数に限定してみると、カットオフ周波数の変化に対応して群遅延特性、位相特性が大きく変化していることが分かる。そして、図３（ｂ）より、カットオフ周波数を変化させることによって、７．５ＧＨｚでは位相を２００°以上変化させることが可能であり、位相調整において十分な可変量を得ることができる。 
【００１１】
次に、図１に示す分岐回路の動作を説明する。 
この分岐回路においては、調整済みのバンドパスフィルタ３〜６をそのまま分岐部２に接続しても、図４（ａ）で示すように、良好な特性は得られないため、分岐部２にて位相調整を行わなければならない。その方法として従来は、前述したように、長さを変更したブロックをいくつも用意し、分岐部にカットアンド トライで挿入して長さを決定していた。  本実施形態では、各分岐にブロックの代わりに上記のようなカットオフ周波数の可変可能なローパスフィルタ１１〜１４を挿入し、カットオフ周波数可変時の位相変化を利用して全体の最適化を行う。
【００１２】
カットオフ周波数・可変制御が外部からの制御にて実施可能であれば、一度、組み込んでしまったローパスフィルタは取り外す必要はなく、あとは、ローパスフィルタのカットオフ周波数制御器を使用して最適化をはかっていけば良い。 全体最適化を行ったあとの分岐回路の特性を図４(ｂ)に示す。各段ごとに最適な位相調整が行われ、良好な特性が得られている。
【００１３】
また、あらかじめ特性変化量をデータとして取得しておけば、それらをパラメータ化した制御も可能となり、数値化された分かりやすい調整が可能となるだけでなく自動制御も可能である。このようにパラメータ化や自動化をはかっておけば、出荷済の装置に対する現場での周波数変更や増設も、パラメータ値の連絡を行うだけで対応可能である。
また、予め位相の変化量を測定しておくなどしてパラメータ化をはかっておけば、制御器を用いた自動化を図ることが可能であり、ブロックの組み換え作業も不用なため、開発段階での効率化が図れるだけでなく、急な組み合わせ変更や出荷後の現地での対応も可能となる。
【００１４】
なお、本実施形態では可変ローパスフィルタ１１〜１４を位相調整として利用したが、ローパスフィルタとして高調波減衰にも活用できることは勿論である。
また、この発明は位相調整が必要な装置において、あらゆる場面で利用可能である。例えば、各経路での遅延時間の調整が必要な場合などにも有効である。
【００１５】
以上、この発明の実施形態について図面を参照して詳述してきたが、具体的な構成はこの実施形態に限られるものではなく、この発明の要旨を逸脱しない範囲の設計等も含まれる。
【符号の説明】
【００１６】
１…共通ポート
２…分岐部
３〜６…バンドパスフィルタ
１１〜１４…ローパスフィルタ
【図１】
2010263372.tif 000003
【図２】
2010263372.tif 000004
【図３】
2010263372.tif 000005
【図４】
2010263372.tif 000006